(57)【要約】【課題】  従来の画像形成装置の構造を変えることなく、ジャムが発生したときに本体上部のカバーを開ける等してもジャム解除に必要な表示装置が見えるようにする。【解決手段】  本体１のジャム検知部３は、ジャム発生を検知するとジャムの解除位置を決定する。カバー開閉検知部４がカバーが開かれたか否かを検知し、カバーが開かれていれば、カバー裏面又は作像装置２の挿抜装置に配置された表示装置５にジャム解除方法を表示すると共にジャム解除のために外す必要のある作像装置２の挿抜装置やレバーに設けられたＬＥＤなどの発光素子を点灯させる。ジャム検知部３が、挿抜装置やレバーが操作されてジャムが解除されたか否かを確認し、ジャムが解除されていれば、作像装置２の挿抜装置に配置された表示装置５の表示を解除し再度ロックしたらＬＥＤ等の発光素子を消灯させる。【選択図】      図１
2006095945.tif 000002
【特許請求の範囲】
【請求項１】
ジャムの解除に関する情報を表示する表示手段が、前記ジャムの解除を実行する工程中に開放されるカバーの裏面、又は作像装置を挿抜するための挿抜装置に配置されてなり、前記表示手段は、供給される信号によって表示内容の変更が可能であって、他の表示手段に表示された表示を該他の表示手段とともにまたは該他の表示手段に代わって表示することを特徴とする画像形成装置。
【請求項２】
前記他の表示手段は、前記カバーの表面、または、画像表示装置における前記カバーに覆われる領域に設けられたことを特徴とする請求項１記載の画像形成装置。
【請求項３】
前記表示手段にジャム解除の表示がないときに前記挿抜装置が解除されたときは警報通知を行うことを特徴とする請求項１に記載の画像形成装置。
【請求項４】
ジャムが発生したときにそのジャムの解除位置を決定するステップと、
前記ジャムの解除位置に対応するカバーを開放するステップと、
前記カバーの裏面に配置された表示手段、又はそのカバーの開放位置の内部に存在する作像装置の挿抜装置に配置された表示手段に、前記ジャムの解除に関する情報を表示するステップと、
前記挿抜装置によって前記作像装置が取り除かれたときに、前記表示手段に表示された情報にしたがって前記ジャムの解除を実行するステップと、
を含むことを特徴とする画像形成装置におけるジャムの解除方法。
【発明の詳細な説明】
【技術分野】
【０００１】
本発明は、プリンタ、スキャナー、複写機、ファクシミリ、およびこれらの機能が複合化されたＭＦＰ（Multi Function Printer）などの画像形成装置等に関し、特に、ジャム（紙詰まり）などの解除方法を表示する表示装置を備える画像形成装置、および画像形成装置におけるジャムの解除方法に関する。
【背景技術】
【０００２】
従来、ＭＦＰなどの画像形成装置は、その本体上部に、内部の作像装置を脱着するために開閉するカバーやＬＥＤ・ＬＣＤなどの表示装置が備えられている。このような画像形成装置においては、ジャムが発生したときには本体上部のカバーを開けて内部の作像装置を取り外した後にジャムの解除作業を行う必要がある。このとき、ジャムの解除方法を示す表示装置は、本体上部のカバーをあけることによって裏返しになるので、あらかじめ表示内容を確認・理解した上でジャムの解除作業を行うか、その都度カバーを元の位置に戻して内容確認を行いながらジャムの解除作業を行う必要がある。また、コンピュータなどの電子機器におけるプラグインユニットの前面側パネルに挿抜レバーが取り付けられているため、そのレバー自体がブラインドになってパネルのＬＥＤ表示が見えにくいという問題を解決するために、挿抜レバー自体にＬＥＤを取り付けてＬＥＤ表示を見やすくする技術も開示されている（例えば、特許文献１参照）。
【特許文献１】特開平１０−３２２０５７号公報（段落番号０００５〜００１１、図１及び図２参照）
【発明の開示】
【発明が解決しようとする課題】
【０００３】
しかしながら、上記のような構成の画像形成装置においては、ジャムの情報が表示されている表示装置が本体上部の表面に配置されているため、カバーを開放したときには表示装置が見えにくくなってジャムの解除方法を確認することができない。つまり、ジャムが発生したときにカバーをあけると、例えば開くべきカバーの表面に表示装置がある場合は、カバーが裏返しになるために故障箇所などの表示が見えなくなったり、カバーを折り曲げた場合には折り曲げ箇所に表示装置が覆われるために見えなくなったりする。そのため、いちいちカバーを元の位置に戻して表示内容の確認を行わなければならないので、ジャム解除等のメンテナンス作業時における使い勝手が極めて悪い。
【０００４】
本発明は、以上のような問題点に鑑みてなされたものであり、従来の画像形成装置の構造を変えることなく、ジャムが発生したときに本体上部のカバーを開けたり折り曲げたりしてもジャムの解除に必要な表示装置が見えるような画像形成装置を提供することを目的とする。
【課題を解決するための手段】
【０００５】
本発明の画像形成装置は、前記の目的を達成するために創案されたものであり、ジャムの解除に関する情報を表示する表示手段が、ジャムの解除を実行する工程中に開放されるカバーの裏面、又は作像装置を挿抜するための挿抜装置に配置された構成を採り、前記表示手段は、供給される信号によって表示内容の変更が可能であって、他の表示手段に表示された表示を該他の表示手段とともにまたは該他の表示手段に代わって表示する。また前記他の表示手段は、前記カバーの表面、または、画像表示装置における前記カバーに覆われる領域に設けられている。
【０００６】
かかる構成によれば、ジャムの解除に関する情報を表示する表示手段は、カバーの表面ではなく、カバーの裏面又は作像装置を挿抜するための挿抜装置に配置されているので、ジャムの解除作業を行いながら表示手段に表示されたジャムの解除方法を常に確認することができる。したがって、効率よくかつ正確にジャムの解除作業を行うことができる。
【０００７】
また、本発明の画像形成装置は、前記表示手段にジャム解除の表示がないときに挿抜装置が解除されたときは警報通知を行う構成を採っている。かかる構成によれば、ジャム解除の表示がないとき（つまり、紙詰りが発生していないとき）に作像装置を挿抜するための挿抜装置が解除された場合には警報通知を行って、プリンタが正常に実装されていない旨の表示を行っている。
【０００８】
また、本発明は画像形成装置におけるジャムの解除方法を提供することもできる。すなわち、本発明の画像形成装置におけるジャムの解除方法は、ジャムが発生したときにそのジャムの解除位置を決定するステップと、ジャムの解除位置に対応するカバーを開放するステップと、カバーの裏面に配置された表示手段、又はそのカバーの開放位置の内部に存在する作像装置の挿抜装置に配置された表示手段にジャムの解除に関する情報を表示するステップと、挿抜装置によって作像装置が取り除かれたときに表示手段に表示された情報にしたがってジャムの解除を実行するステップとを含むことを特徴とする。
【発明の効果】
【０００９】
本発明の画像形成装置によれば、本体前面のカバーが開けられても、カバーの裏面や作像装置の挿抜装置に配置された表示装置によって、常にジャムの解除方法を確認することができる。また、実際に操作する部位に表示装置を表示することにより、ジャム解除のために外すべき装置がわかるだけでなく、同時にそれらの装置の外し方もわかる。さらに、現像器とドラムが別体になったプリンタでは、ドラムの傷つきを防止するためにジャムの解除には必要でない装置を外すことが禁止されているが、その場合、解除表示がされてない挿抜装置やレバーを解除 した時点でブザー等の警告を発することができる。
【発明を実施するための最良の形態】
【００１０】
＜本発明の概要＞
本発明の画像形成装置は、カバーを開くことによって操作者から見えなくなる可能性のあるカバーの表面にジャムの解除に必要な表示装置を配置するのではなく、カバーの裏面やカバーの内部にジャムの解除に必要な表示装置を配置してジャムの解除方法を明示する。これによって、ジャムの解除時にカバーを裏返したり折り曲げたりしても表示装置が見えるので、使い勝手のよい状態でジャムの解除作業などを行うことができる。
【００１１】
＜実施の形態＞
以下、図面を参照しながら、本発明における画像形成装置の実施の形態を詳細に説明する。図１は、本発明における画像形成装置のジャム解除に係る機能構成を示すブロック図である。本発明における画像形成装置は本体１と作像装置２とによって構成されている。また、本体１は、紙詰りなどのジャムを検知するジャム検知部３と、本体１のカバーの開閉を検知するカバー開閉検知部４と、ジャムの解除などに必要な情報を表示する表示装置５と、本体１や作像装置２の各機能を制御するＣＰＵ６とを備えた構成となっている。また、作像装置２は、この作像装置２を脱着するためのレバーの操作状態を検知するレバー脱着検知部７と、作像装置２の脱着方法を表示する表示装置８を備えた構成となっている。前記表示装置５には、例えば液晶表示装置など、供給される信号に応じて表示内容の変更が可能な構成のものが採用されている。
【００１２】
次に、フローチャートを用いて、図１における画像形成装置のジャム解除に係る動作の流れを説明する。図２は、図１に示す画像形成装置のジャム解除に係る動作の流れを示すフローチャートである。まず、本体１のジャム検知部３がジャムの発生を検知すると（ステップＳ１）、ジャム検知部３はジャムの解除位置を決定する（ステップＳ２）。次に、カバー開閉検知部４が本体１のカバーが開かれたか否かを検知する（ステップＳ３）。ここで、カバーが開かれていなければ（ステップＳ３でＮｏの場合）、本体１のカバー表面の表示部にジャムの情報を表示してカバーが開かれるのを待つ（ステップＳ４）。
【００１３】
一方、ステップＳ３でカバーが開かれていれば（ステップＳ３でＹｅｓの場合）、本体１のカバー裏面又は作像装置２の挿抜装置（図示せず）に配置された表示装置５にジャムの解除方法を表示する。このとき、ジャムの解除方法に示されているカバーを開放すると同時に、ジャムを解除するために外すことが必要な作像装置２の挿抜装置やレバーに設けられたＬＥＤなどの発光素子を点灯させる（ステップＳ５）。次に、ジャム検知部３が、挿抜装置やレバーが操作されてジャムが解除されたか否かを確認する（ステップＳ６）。ここで、まだジャムが解除されなければ（ステップＳ６でＮｏの場合）、ステップＳ３に戻り、前述のステップを繰り返す。一方、ステップＳ６でジャムが解除されていれば（ステップＳ６でＹｅｓの場合）、作像装置２の挿抜装置に配置された表示装置５のジャム表示を解除して再度ロックしたら、ＬＥＤ等の発光素子を消灯させる（ステップＳ７）。
【００１４】
次に、作像装置２の挿抜装置が解除されたときの警報表示の流れをフローチャートに従って説明する。図３は、図１に示す作像装置２の挿抜装置が解除されたときの警報表示の流れを示すフローチャートである。まず、作像装置２の挿抜装置が解除されると（ステップＳ１１）、表示装置５にジャム解除の表示があるか否かが確認され（ステップＳ１２）、表示装置５にジャム解除の表示があれば（ステップＳ１２でＹｅｓの場合）、警報通知を行わないが、表示装置５にジャム解除の表示がなければ（ステップＳ１２でＮｏの場合）、警報通知を行う（ステップＳ１３）。このようにして、ジャム解除に必要ない部分が外された場合には警報通知が行われるようになっている。
【００１５】
次に、画像形成装置におけるジャム解除の具体的な実施例についてプリンタを例に挙げて説明する。図４は、プリンタ内で紙詰りが発生した場合に詰った用紙を取り除く手順を示す流れ図である。まず、図４（ａ）に示すように、プリンタの上部カバー２１を矢印の方向へ止まるまで開く。このような上部カバー２１の操作に伴い、本体上面に設けられている表示装置８が上部カバー８によって覆われて、その表示（例えばジャムの箇所やその排除に必要な作像装置の脱着方法の表示）が見えない状態となる。しかしながら、上部カバー２１が開かれるとその上部カバー２１の内面に、前記表示装置８に代わってあるいは表示装置８とともにジャム解除の情報が表示された表示装置５が現われる。次に、図４（ｂ）に示すように、表示装置５に表示された表示情報の手順を確認しながらプリンタの前面カバー２２を手前に開く。
【００１６】
さらに、図４（ｃ）に示すように、表示装置５に表示された表示情報の手順を確認しながら、トナーコンテナを装着したままでプリンタからプロセスユニット２３を取り外す。そして、図４（ｄ）に示すように、表示装置５に表示された表示情報の手順を確認しながら、つまみ部分を持って搬送カバー２４を開ける。その上で、図４（ｅ）に示すように、表示装置５に表示された表示情報の手順を確認しながら、ローラ部２５に詰っている用紙２６を取り除く。このとき、用紙２５がやぶれてプリンタ内に紙片が残らないように用紙２６を引き出す。このようなジャム解除の作業手順は上部カバー２１の裏面に配置された表示装置５によって常に確認することができる。
なお、上記実施形態では画像形成装置の本体上面に設けられた表示装置がカバーによって覆われる（ブラインド状態となる）場合について説明したが、カバーの表面に表示装置が設けられている場合にも本発明を適用することができるのはもちろんである。
【産業上の利用可能性】
【００１７】
本発明の画像形成装置は、ジャムなどが発生したときにはカバーを開放して作業を行う状態で最も見やすい位置にジャムの解除方法を示す表示装置が配置されている。したがって、誰にでも扱える汎用性の高いプリンタなどを提供することができる。
【図面の簡単な説明】
【００１８】
【図１】本発明における画像形成装置のジャム解除に係る機能構成を示すブロック図である。
【図２】図１に示す画像形成装置のジャム解除に係る動作の流れを示すフローチャートである。
【図３】図１に示す作像装置２の挿抜装置が解除されたときの警報表示の流れを示すフローチャートである。
【図４】プリンタ内で紙詰りが発生した場合に詰った用紙を取り除く手順を示す流れ図である。
【符号の説明】
【００１９】
１    本体
２    作像装置
３    ジャム検知部
４    カバー開閉検知部
５    表示装置
６    ＣＰＵ
７    レバー脱着検知部
８    表示装置
２１  上部カバー
２２  前面カバー
２３  プロセスユニット
２４  搬送カバー
２５  ローラ部
２６  用紙
【図１】
2006095945.tif 000003
【図２】
2006095945.tif 000004
【図３】
2006095945.tif 000005
【図４】
2006095945.tif 000006